(57)【要約】      （修正有）【課題】繋ぎ合わせ式発光モジュール及び該モジュールを備えた灯具と広告看板を提供する。【解決手段】繋ぎ合わせ板１０と、繋ぎ合わせ板の表面に凸設する放熱体２０と、該放熱体に固設するＬＥＤユニット３０とを備える。繋ぎ合わせ板の両側は、それぞれ係合突起リブ１１と係合溝１２を設置していて、係合溝の輪郭は、もう一つの繋ぎ合わせ板の係合突起リブと嵌合できるように設計する。これにより、複数の繋ぎ合わせ式発光モジュール１をランプホルダー４０上に串差し接続によって灯具を構成しても良いし、または取付台に繋ぎ合わせて広告看板を構成しても良い。金型制作費と製造コストを大幅に低減できるほか、灯具と広告看板上の繋ぎ合わせ式発光モジュールを取り外して、回収使用ができる、環境保護の概念に合致した設計である。【選択図】図１
0003170700.tif 000002
【実用新案登録請求の範囲】
【請求項１】
繋ぎ合わせ板と、放熱体と、ＬＥＤユニットと、を備えた繋ぎ合わせ式発光モジュールであって、
前記繋ぎ合わせ板の両側は、それぞれ係合突起リブと係合溝を設置し、
前記係合溝の輪郭は、もう一つの前記繋ぎ合わせ板の係合突起リブと嵌合できるようにし、
前記放熱体は、前記繋ぎ合わせ板の一表面より突き出すように成形し、
前記ＬＥＤユニットは、前記放熱体に固設していて、
前記ＬＥＤユニットは、電気回路板と前記電気回路板上に取り付ける複数のＬＥＤ素子を有する、
繋ぎ合わせ式発光モジュール。
【請求項２】
前記繋ぎ合わせ板と前記放熱体は、アルミ部材を押出成形によって形成し、前記係合突起リブは、円弧形の突起面を有し、前記係合溝は、前記円弧形の突起面と相互に嵌合できる円弧形の凹面を有し、前記繋ぎ合わせ板の中央場所は、縦方向の溝穴を有することを特徴とする、請求項１記載の繋ぎ合わせ式発光モジュール。
【請求項３】
前記放熱体は、前記繋ぎ合わせ板の対向する一表面に複数のフィンを形成し、前記ＬＥＤユニットは、前記放熱体が前記繋ぎ合わせ板の遠端の表面に固設することを特徴とする、請求項２記載の繋ぎ合わせ式発光モジュール。
【請求項４】
ランプホルダーと、複数の繋ぎ合わせ式発光モジュールと、を有する繋ぎ合わせ式発光モジュールを備えた灯具であって、
前記複数の繋ぎ合わせ式発光モジュールは、前記ランプホルダーに接続していて、
繋ぎ合わせ式前記発光モジュールは、
繋ぎ合わせ板と、放熱体と、ＬＥＤユニットと、を備え、
前記繋ぎ合わせ板の両側は、それぞれ係合突起リブと係合溝を設置し、
前記係合溝の輪郭は、もう一つの前記繋ぎ合わせ板の前記係合突起リブと嵌合できるようにし、
前記放熱体は、前記繋ぎ合わせ板の一表面より突き出すように成形し、
前記ＬＥＤユニットは、前記放熱体に固設していて、
前記ＬＥＤユニットは、電気回路板と前記電気回路板上に取り付ける複数のＬＥＤ素子を有し、
各前記繋ぎ合わせ板の前記係合突起リブは、隣接する前記繋ぎ合わせ板の前記係合溝と互いに嵌合することによって、前記ランプホルダー上に串差し接続して、前記灯具を構成する、繋ぎ合わせ式発光モジュールを備えた灯具。
【請求項５】
前記ランプホルダーは、取付板と前記取付板に接続する口金を有し、
前記取付板と前記口金の反対端の表面は、繋ぎ合わせ式前記発光モジュールの接続に提供し、
前記繋ぎ合わせ板の中央場所は、縦方向の溝穴を設け、
前記取付板は、
各前記繋ぎ合わせ板に対応する前記縦方向の溝穴は、貫通穴を開けていて、
ねじは前記貫通穴に螺合して前記縦方向の溝穴に締め付けることによって、各繋ぎ合わせ式前記発光モジュールを前記取付板に締め付けることを特徴とする、
請求項４記載の繋ぎ合わせ式発光モジュールを備えた灯具。
【請求項６】
前記取付板は、反射がさを設け、繋ぎ合わせ式前記発光モジュールは、前記反射がさを繞設して、前記ＬＥＤユニットが内向きの出射光線を前記反射がさに向かって、単一方向より前記灯具の外部に反射されることを特徴とする、請求項４記載の繋ぎ合わせ式発光モジュールを備えた灯具。
【請求項７】
取付台と、複数の繋ぎ合わせ式発光モジュールと、を有する繋ぎ合わせ式発光モジュールを備えた広告看板であって、
複数の繋ぎ合わせ式前記発光モジュールは、前記取付台に接続していて、
各繋ぎ合わせ式前記発光モジュールは、
繋ぎ合わせ板と、放熱体と、ＬＥＤユニットと、を備え、
前記繋ぎ合わせ板の両側は、それぞれ係合突起リブと係合溝を設置し、
前記係合溝の輪郭は、もう一つの前記繋ぎ合わせ板の前記突起リブと嵌合できるようにし、
前記放熱体は、前記繋ぎ合わせ板の一表面より突き出すように成形し、
前記ＬＥＤユニットは、前記放熱体に固設していて、
前記ＬＥＤユニットは、電気回路板と前記電気回路板上に取り付ける複数のＬＥＤ素子を有し、
各前記繋ぎ合わせ板の前記係合突起リブは、隣接する前記繋ぎ合わせ板の前記係合溝と互いに嵌合することによって、前記取付台上に串差し接続して、前記広告看板を構成する、繋ぎ合わせ式発光モジュールを備えた広告看板。
【請求項８】
前記繋ぎ合わせ板の中央場所は、縦方向の溝穴を設け、
前記取付台が各前記繋ぎ合わせ板の前記縦方向の溝穴に対応する場所は、貫通穴を設け、
ねじは前記貫通穴に螺合して前記縦方向の溝穴に締め付けることによって、各繋ぎ合わせ式前記発光モジュールを前記取付台に締め付けることを特徴とする、請求項７記載の繋ぎ合わせ式発光モジュールを備えた広告看板。
【考案の詳細な説明】
【技術分野】
【０００１】
本考案は、発光モジュールに関し、特に繋ぎ合わせ式発光モジュール及び該モジュールを備えた灯具と広告看板に関する。
【背景技術】
【０００２】
科学技術が日進月歩に進み、発光ダイオード（Ｌｉｇｈｔ  Ｅｍｉｔｔｉｎｇ  Ｄｉｏｄｅ，  ＬＥＤ）素子が発光素子として開発されている。ＬＥＤ素子の消費電力は低く、輝度は高く、かつ使用寿命は長いことから、従来の白熱電球または蛍光灯に取り代わりつつ、灯具と広告看板へ幅広く応用されている。
【考案の概要】
【考案が解決しようとする課題】
【０００３】
一方、現時点の技術レベルは、複数のＬＥＤ素子を電気回路板に取り付けて、一つのＬＥＤモジュールを構成した後、設計する灯具または広告看板の輪郭に従って、ランプホルダーまたは取付台に仕上げてから、ＬＥＤモジュールを一つずつにランプホルダーまたは取付台に取り付けて、様々な輪郭とタイプを備えた灯具と広告看板を組み合わせる。
【０００４】
しかし、この種の灯具と広告看板は、それぞれの輪郭とタイプがすでにあるため、メーカーは、顧客の要求する灯具と広告看板の輪郭に従い、新たに金型を製作しなければならず、製造コスト増に強いられる。そこで、ＬＥＤの発光モジュールを繋ぎ合わせ方式によって、任意の適切な形状を組み合わせることができれば、製造コストを大幅に低減できる。
【課題を解決するための手段】
【０００５】
本考案の一つの目的は、繋ぎ合わせ方式によって任意の適切な形状に組み合わせることができ、各種の灯具と広告看板に適用すれば、金型制作費と製造コストを大幅に低減できる、繋ぎ合わせ式発光モジュールを提供する。
【０００６】
前記目的を達成するため、本考案の繋ぎ合わせ式発光モジュールは、繋ぎ合わせ板と、放熱体と、ＬＥＤユニットと、を備える。
【０００７】
前記繋ぎ合わせ板の両側は、それぞれ係合突起リブと係合溝を設置し、係合溝の輪郭は、もう一つの繋ぎ合わせ板の係合突起リブと嵌合できるように設計する。
【０００８】
放熱体は、繋ぎ合わせ板の一表面より突き出すように成形する。
【０００９】
ＬＥＤユニットは、放熱体に固設し、ＬＥＤユニットは、電気回路板と該電気回路板上に取り付ける複数のＬＥＤ素子を有する。
【００１０】
本考案のもう一つの目的は、繋ぎ合わせ式発光モジュールを任意の適切な形状に繋ぎ合わせることによって、各種の灯具に仕上げて、金型制作費と製造コストを大幅に低減できる、繋ぎ合わせ式発光モジュールを備えた灯具を提供する。
【００１１】
前記目的を達成するため、本考案の繋ぎ合わせ式発光モジュールを備えた灯具は、ソケットと、複数の繋ぎ合わせ式発光モジュールと、を備える。
【００１２】
ランプホルダーを用意する。
【００１３】
複数の繋ぎ合わせ式発光モジュールは、ランプホルダーに接続していて、各繋ぎ合わせ式発光モジュールは、繋ぎ合わせ板と、放熱体と、ＬＥＤユニットと、を備える。
【００１４】
前記繋ぎ合わせ板の両側は、それぞれ係合突起リブと係合溝を設置し、係合溝の輪郭は、もう一つの繋ぎ合わせ板の係合突起リブと嵌合できるように設計する。
【００１５】
前記放熱体は、繋ぎ合わせ板の一表面より突き出すように成形する。
【００１６】
前記ＬＥＤユニットは、放熱体に固設し、ＬＥＤユニットは、電気回路板と該電気回路板上に取り付ける複数のＬＥＤ素子を有する。
【００１７】
そのうち、各繋ぎ合わせ板の係合突起リブと隣接する繋ぎ合わせ板の係合溝を互いに嵌合によって、ランプホルダー上に串差し接続して、灯具を構成する。
【００１８】
本考案のまた一つの目的は、繋ぎ合わせ式発光モジュールを任意の適切な形状に繋ぎ合わせることによって、各種の広告看板に仕上げて、金型制作費と製造コストを大幅に低減できる、繋ぎ合わせ式発光モジュールを備えた広告看板を提供する。
【００１９】
前記目的を達成するため、本考案の繋ぎ合わせ式発光モジュールを備えた広告看板は、取付台と、複数の発光モジュールと、を備える。
【００２０】
取付台を用意する。
【００２１】
複数の繋ぎ合わせ式発光モジュールは、取付台に接続する。各繋ぎ合わせ式発光モジュールは、繋ぎ合わせ板と、放熱体と、ＬＥＤユニットと、を備える。
【００２２】
前記繋ぎ合わせ板の両側は、それぞれ係合突起リブと係合溝を設置し、係合溝の輪郭は、もう一つの繋ぎ合わせ板の係合突起リブと嵌合できるように設計する。
【００２３】
前記放熱体は、繋ぎ合わせ板の一表面より突き出すように成形する。
【００２４】
前記ＬＥＤユニットは、放熱体に固設し、ＬＥＤユニットは、電気回路板と該電気回路板上に取り付ける複数のＬＥＤ素子を有する。
【００２５】
そのうち、各繋ぎ合わせ板の係合突起リブは、隣接する繋ぎ合わせ板の係合溝と互いに嵌合することによって、取付台上に串差し接続して、広告看板を構成する。
【考案の効果】
【００２６】
本考案は、従来の技術に比べて、以下の効果を有する。
【００２７】
本考案によれば、各繋ぎ合わせ板の係合突起リブは、隣接する繋ぎ合わせ板の係合溝と相互に嵌合することによって、例えば、円形、正方形、長方形、多辺形、平面状または弧面状など、任意の適切な形状を組み合わせることができる。よって、メーカーは、繋ぎ合わせ式発光モジュールの金型を設計して置き、お客様の要求する灯具または広告看板の輪郭に対応するランプホルダーまたは取付台を設計した後、これらの発光モジュールを所定の輪郭に繋ぎ合わせて、ランプホルダーまたは取付台に締め付けた後に、各種の灯具と広告看板に組み合わせることができる。これにより、各種の灯具と広告看板に従って、それぞれ金型を設計する必要はないため、金型制作費と製造コストを大幅に低減できる。
【００２８】
このほか、繋ぎ合わせ式発光モジュール同士は、それぞれに取り外すことができるほか、かつ各繋ぎ合わせ式発光モジュールとランプホルダーまたは取付台との間は、ねじ方式によって締め付けることができる。そのため、これらの繋ぎ合わせ式発光モジュールによって構成する灯具または広告看板は、完全に取り外して回収使用することができる。この点は、メーカーにとって、材料コストを低減する一つの方式であり、環境保護の要求に合致するものである。
【図面の簡単な説明】
【００２９】
【図１】本考案の灯具の立体分解図である。
【図２】本考案の灯具の組合わせ立体図である。
【図３】本考案の灯具の組合わせ断面図である。
【図４】本考案の図３の上面図である。
【図５】本考案の灯具のもう一つの実施例の組合せ断面図である。
【図６】本考案の図３の上面図である。
【図７】本考案の広告看板の組合わせ立体図である。
【図８】本考案の広告看板の分解立体図である。
【考案を実施するための形態】
【００３０】
本考案の詳細な説明及び技術内容は、図面と合わせて具体的に説明するが、本考案がこれらに限定されるものではない。
【実施例１】
【００３１】
図１ないし４を参照する。本考案で提供する繋ぎ合わせ式発光モジュール１（以下、「発光モジュール１」という。）は、前記モジュールを備えた灯具１００と広告看板２００（図７）を有する。
【００３２】
本考案の繋ぎ合わせ式発光モジュール１は、繋ぎ合わせ板１０と、放熱体２０と、ＬＥＤユニット３０と、を備える。
【００３３】
繋ぎ合わせ板１０は、アルミ部材の押出成形によって形成する。図１に示す実施例において、繋ぎ合わせ板１０は、ほぼ長い矩形を形成していて、繋ぎ合わせ板１０の縦方向の２つの側面は、それぞれ係合突起リブ１１と係合溝１２を設置する。係合溝１２の輪郭は、もう一つの繋ぎ合わせ板１０の係合突起リブ１１と相互に嵌合できるように設計する。ここで特に説明すべきことは、本考案の実施例において、係合突起リブ１１は、円弧形の突起面を有し、これに対して係合溝１２は、円弧形の凹面を有する。円弧形の凹面は、円弧形の突起面と互いに嵌合することができる。このほか、繋ぎ合わせ板１０の中央場所は、締め付け用の縦方向の溝穴１３が設置している。
【００３４】
放熱体２０は、繋ぎ合わせ板１０の一表面より突き出すように成形し、放熱体２０と繋ぎ合わせ板１０とは、アルミ押出部材によって押出成形することができる。放熱体２０を繋ぎ合わせ板１０の表面から、ある距離を突き出していて、かつ放熱体２０は、繋ぎ合わせ板１０の対向表面は、複数のフィン２１を形成するなど放熱効果を向上する。または、金型を利用して、アルミ部材から直接に繋ぎ合わせ板１０、係合突起リブ１１、係合溝１２、放熱体２０及びフィン２１などの部品を押出成形しても良い。
【００３５】
ＬＥＤユニット３０は、放熱体２０が繋ぎ合わせ板１０の遠端表面に固設していて、ＬＥＤユニット３０は、電気回路板３１及び該電気回路板３１上に取り付ける複数のＬＥＤ素子３２を有する。図１に示す実施例において、繋ぎ合わせ板１０と放熱体２０とも矩形を形成しているため、ＬＥＤユニット３０の電気回路板３１を形成する。
当然ながら、本考案繋ぎ合わせ式発光モジュール１の形状は、矩形に限らず、正方形、三角形、六角形、菱形など、要するは、繋ぎ合わせ板１０の両側に形成された係合突起リブ１１、係合溝１２が隣接する繋ぎ合わせ板１０の係合溝１２、係合突起リブ１１と相互に嵌合できるものであれば、他の適当な形状であっても良い。
【００３６】
ふたたび図１を参照する。本考案は、もう一つの繋ぎ合わせ式発光モジュールを備えた灯具１００が提供されている。灯具１００は、ランプホルダー４０と、複数の繋ぎ合わせ式発光モジュール１と、を備える。
【００３７】
ランプホルダー４０は、取付板４１と該取付板４１に接続する口金４２を有し、口金４２は、一般のねじ式のエジソンベースであり、かつ雄ねじを有していて、一般の壁や天井に取り付けていた電球ソケット（図示しない）にねじ込むことができる。取付板４１が口金４２の反対端の表面は、繋ぎ合わせ式発光モジュール１によって接続する。詳しく言えば、繋ぎ合わせ板１０の中央場所は、縦方向の溝穴１３を設けていて、かつ取付板４１は、各繋ぎ合わせ板１０に対応する縦方向の溝穴１３の位置に貫通穴４１１を開けられている。図３に示す断面図から分かるように、ねじ５０によって、貫通穴４１１をくぐらして、縦方向の溝穴１３に締めることによって、繋ぎ合わせ式発光モジュール１をランプホルダー４０の取付板４１に締め付けることができる。
【００３８】
図２は、６つの繋ぎ合わせ式発光モジュール１を繞設した灯具１００の組合せ立体図である。図２と図４から分かるように、各繋ぎ合わせ式発光モジュール１の係合突起リブ１１は、隣接する繋ぎ合わせ式発光モジュール１の係合溝１２と相互に嵌合していて、順を追ってランプホルダー４０に串差し接続して、灯具１００を構成する。これにより、各繋ぎ合わせ式発光モジュール１のＬＥＤユニット３０は、灯具１００の外部に向かって発光し、３６０度全週の照明効果を備えた灯具１００を構成する。
【００３９】
ランプホルダー４０の内部は例えば、バラストなど複数の電子素子を取り付け（図示しない）、各繋ぎ合わせ式発光モジュール１のＬＥＤユニット３０に電気接続して置く。これにより、口金４２を外部電源（例えば、市電）に接続し、外部電源の電気は、口金４２と電子素子を介して、各ＬＥＤユニット３０に供給して、各ＬＥＤ素子３２が外部への安定発光を提供する。
【実施例２】
【００４０】
図５と図６を参照して、本考案の灯具１００’のもう一つの実施例を説明する。図６から明かのように、本実施例と前述実施例と異なる点は、８つの繋ぎ合わせ式発光モジュール１を串差し接続した灯具１００’であり、かつ各繋ぎ合わせ式発光モジュール１のＬＥＤユニット３０は、外部向きではなく、内部に向かって発光する。内向きの出射光線の有効利用を図るため、ランプホルダー４０の取付板４１上に反射がさ４３を取り付ける。図５から分かるように、反射がさ４３は、ランプホルダー４０の中央部に位置していて、つまり、繋ぎ合わせ式発光モジュール１によって囲まれた八角形の中央部に位置する。反射がさ４３を利用し、内向きの出射光線を下方に反射させる。つまり、繋ぎ合わせ式発光モジュール１によって囲まれた八角形の開口端より反射させ、単一方向に向かって発光する灯具１００’を形成する。例えば、天井のダウンライトまたは投射灯に適用することができる。
【００４１】
図１と図５に示す２つの実施例から、この分野の当業者は、ランプホルダー４０と取付板４１の貫通穴４１１を変更することなく、例えば、実施例１に示す６つの繋ぎ合わせ式発光モジュール１は、ＬＥＤユニット３０を内向きに発光するように繋ぎ合わせを改変するか、実施例２に示す８つの繋ぎ合わせ式発光モジュール１は、ＬＥＤユニット３０を外向きに発光するように繋ぎ合わせを改変することができる。よって、本考案を適用した繋ぎ合わせ式発光モジュール１によって構成する灯具１００または１００’は、現場の照明ニーズに従って、適切な繋ぎ合わせ方式を選択し、取付の自由度と変化自在性を向上することができる。
【００４２】
よって、本考案の繋ぎ合わせ式発光モジュール１によれば、実際の需要に従い、様々な形状とタイプの灯具１００を繋ぎ合わせることができる。取り付け要員は、あらかじめランプホルダー４０の形状を設計すれば良い。発光モジュール１のタイプ修正必要はない。よって、金型制作費と製造コストを大幅に低減できる。
【００４３】
図７と図８を参照する。本考案は、さらに繋ぎ合わせ式発光モジュールを備えた広告看板２００が提供されている。該広告看板２００は、取付台６０と、複数の繋ぎ合わせ式発光モジュール１と、を備える。
【００４４】
図８に示すように、取付台６０上は、各繋ぎ合わせ式発光モジュール１の繋ぎ合わせ板１０の縦方向の溝穴１３に対応し貫通穴６１を開けていて、ねじ７０が貫通穴６１にくぐらして、取付台６０に締め付けるによって、各繋ぎ合わせ式発光モジュール１を取付台６０に締め付けることができる。かつ、各繋ぎ合わせ式発光モジュール１の係合突起リブ１１と隣接する繋ぎ合わせ式発光モジュール１の係合溝１２を相互に嵌合し取付台６０に差し接続して広告看板２００を構成する。
【００４５】
当然ながら、取付台６０は例えば、直線形、弧線形、Ｚ字型、波浪形及びその他任意の形状を形成することは容易に想到できる。係合突起リブ１１と係合溝１２との間は、円弧面の嵌合になっていて、各繋ぎ合わせ板１０と隣接する繋ぎ合わせ板１０との間の角度は、局所の調節ができるため、直線状、曲線状及び様々な多辺形の広告看板２００に串差し接続することができる。さらに、２つの取付台６０を設けて、それぞれ繋ぎ合わせ式発光モジュール１の上面と底面に接続し、それらの繋ぎ合わせ式発光モジュール１をしっかり固定する。
【００４６】
よって、本考案の繋ぎ合わせ式発光モジュール１によれば、実際の需要に従い、様々な形状とタイプの広告看板２００を繋ぎ合わせることができる。取り付け要員は、あらかじめ取付台６０の形状を設計すれば良い。発光モジュール１のタイプ修正必要はない。よって、金型制作費と製造コストを大幅に低減できる。
【符号の説明】
【００４７】
１        発光モジュール
１０      繋ぎ合わせ板
１１      係合突起リブ
１２      係合溝
１３      縦方向の溝穴
２０      放熱体
２１      フィン
３０      ＬＥＤユニット
３１      電気回路板
３２      ＬＥＤ素子
４０      ランプホルダー
４１      取付板
４１１    貫通穴
４２      口金
４３      反射がさ
５０      ねじ
６０      取付台
６１      貫通穴
７０      ねじ
１００    灯具
１００’  灯具
２００    広告看板
【図１】
0003170700.tif 000003
【図２】
0003170700.tif 000004
【図３】
0003170700.tif 000005
【図４】
0003170700.tif 000006
【図５】
0003170700.tif 000007
【図６】
0003170700.tif 000008
【図７】
0003170700.tif 000009
【図８】
0003170700.tif 000010
【手続補正書】
【提出日】平成23年8月2日(2011.8.2)
【手続補正１】
【補正対象書類名】実用新案登録請求の範囲
【補正対象項目名】全文
【補正方法】変更
【補正の内容】
【実用新案登録請求の範囲】
【請求項１】
繋ぎ合わせ板と、放熱体と、ＬＥＤユニットと、を備えた繋ぎ合わせ式発光モジュールであって、
前記繋ぎ合わせ板の一方の側面には、係合突起リブを設置し、
前記繋ぎ合わせ板の他方の側面には、係合溝を設置し、
前記係合溝の輪郭は、もう一つの前記繋ぎ合わせ板の係合突起リブと嵌合できるようにし、
前記放熱体は、前記繋ぎ合わせ板の一表面より突き出すように成形し、
前記ＬＥＤユニットは、前記放熱体に固設していて、
前記ＬＥＤユニットは、電気回路板と前記電気回路板上に取り付ける複数のＬＥＤ素子を有する、
繋ぎ合わせ式発光モジュール。
【請求項２】
前記繋ぎ合わせ板と前記放熱体は、アルミ部材を押出成形によって形成し、前記係合突起リブは、円弧形の突起面を有し、前記係合溝は、前記円弧形の突起面と相互に嵌合できる円弧形の凹面を有し、前記繋ぎ合わせ板の中央場所は、縦方向の溝穴を有することを特徴とする、請求項１記載の繋ぎ合わせ式発光モジュール。
【請求項３】
前記放熱体は、前記繋ぎ合わせ板の対向する一表面に複数のフィンを形成し、前記ＬＥＤユニットは、前記放熱体が前記繋ぎ合わせ板の遠端の表面に固設することを特徴とする、請求項２記載の繋ぎ合わせ式発光モジュール。
【請求項４】
ランプホルダーと、複数の繋ぎ合わせ式発光モジュールと、を有する繋ぎ合わせ式発光モジュールを備えた灯具であって、
前記複数の繋ぎ合わせ式発光モジュールは、前記ランプホルダーに接続していて、
繋ぎ合わせ式前記発光モジュールは、
繋ぎ合わせ板と、放熱体と、ＬＥＤユニットと、を備え、
前記繋ぎ合わせ板の一方の側面には、係合突起リブを設置し、
前記繋ぎ合わせ板の他方の側面には、係合溝を設置し、
前記係合溝の輪郭は、もう一つの前記繋ぎ合わせ板の前記係合突起リブと嵌合できるようにし、
前記放熱体は、前記繋ぎ合わせ板の一表面より突き出すように成形し、
前記ＬＥＤユニットは、前記放熱体に固設していて、
前記ＬＥＤユニットは、電気回路板と前記電気回路板上に取り付ける複数のＬＥＤ素子を有し、
各前記繋ぎ合わせ板の前記係合突起リブは、隣接する前記繋ぎ合わせ板の前記係合溝と互いに嵌合することによって、前記ランプホルダー上に串差し接続して、前記灯具を構成する、繋ぎ合わせ式発光モジュールを備えた灯具。
【請求項５】
前記ランプホルダーは、取付板と前記取付板に接続する口金を有し、
前記取付板と前記口金の反対端の表面は、繋ぎ合わせ式前記発光モジュールの接続に提供し、
前記繋ぎ合わせ板の中央場所は、縦方向の溝穴を設け、
前記取付板は、
各前記繋ぎ合わせ板に対応する前記縦方向の溝穴は、貫通穴を開けていて、
ねじは前記貫通穴に螺合して前記縦方向の溝穴に締め付けることによって、各繋ぎ合わせ式前記発光モジュールを前記取付板に締め付けることを特徴とする、
請求項４記載の繋ぎ合わせ式発光モジュールを備えた灯具。
【請求項６】
前記取付板は、反射がさを設け、繋ぎ合わせ式前記発光モジュールは、前記反射がさを繞設して、前記ＬＥＤユニットが内向きの出射光線を前記反射がさに向かって、単一方向より前記灯具の外部に反射されることを特徴とする、請求項４記載の繋ぎ合わせ式発光モジュールを備えた灯具。
【請求項７】
取付台と、複数の繋ぎ合わせ式発光モジュールと、を有する繋ぎ合わせ式発光モジュールを備えた広告看板であって、
複数の繋ぎ合わせ式前記発光モジュールは、前記取付台に接続していて、
各繋ぎ合わせ式前記発光モジュールは、
繋ぎ合わせ板と、放熱体と、ＬＥＤユニットと、を備え、
前記繋ぎ合わせ板の一方の側面には、係合突起リブを設置し、
前記繋ぎ合わせ板の他方の側面には、係合溝を設置し、
前記係合溝の輪郭は、もう一つの前記繋ぎ合わせ板の前記突起リブと嵌合できるようにし、
前記放熱体は、前記繋ぎ合わせ板の一表面より突き出すように成形し、
前記ＬＥＤユニットは、前記放熱体に固設していて、
前記ＬＥＤユニットは、電気回路板と前記電気回路板上に取り付ける複数のＬＥＤ素子を有し、
各前記繋ぎ合わせ板の前記係合突起リブは、隣接する前記繋ぎ合わせ板の前記係合溝と互いに嵌合することによって、前記取付台上に串差し接続して、前記広告看板を構成する、繋ぎ合わせ式発光モジュールを備えた広告看板。
【請求項８】
前記繋ぎ合わせ板の中央場所は、縦方向の溝穴を設け、
前記取付台が各前記繋ぎ合わせ板の前記縦方向の溝穴に対応する場所は、貫通穴を設け、
ねじは前記貫通穴に螺合して前記縦方向の溝穴に締め付けることによって、各繋ぎ合わせ式前記発光モジュールを前記取付台に締め付けることを特徴とする、請求項７記載の繋ぎ合わせ式発光モジュールを備えた広告看板。
【手続補正２】
【補正対象書類名】明細書
【補正対象項目名】０００７
【補正方法】変更
【補正の内容】
【０００７】
前記繋ぎ合わせ板の一方の側面には、係合突起リブを設置し、前記繋ぎ合わせ板の他方の側面には、係合溝を設置し、係合溝の輪郭は、もう一つの繋ぎ合わせ板の係合突起リブと嵌合できるように設計する。
【手続補正３】
【補正対象書類名】明細書
【補正対象項目名】００１４
【補正方法】変更
【補正の内容】
【００１４】
前記繋ぎ合わせ板の一方の側面には、係合突起リブを設置し、前記繋ぎ合わせ板の他方の側面には、係合溝を設置し、係合溝の輪郭は、もう一つの繋ぎ合わせ板の係合突起リブと嵌合できるように設計する。
【手続補正４】
【補正対象書類名】明細書
【補正対象項目名】００２２
【補正方法】変更
【補正の内容】
【００２２】
前記繋ぎ合わせ板の一方の側面には、係合突起リブを設置し、前記繋ぎ合わせ板の他方の側面には、係合溝を設置し、係合溝の輪郭は、もう一つの繋ぎ合わせ板の係合突起リブと嵌合できるように設計する。